(57)【特許請求の範囲】
【請求項１】
ソール（３，３０）を備えた特にスポーツシューズなどの履き物において、
このソールは、合成材料からなり、前方領域、中央領域、および後方領域を含み、内部剛性手段（４）を備え、
前記剛性手段（４）は、糸形状または薄くて細長い形状の部材からなる挿入物を有し、
糸状部材（４）は、第１の端部（Ａ）と、第２の端部（Ｐ）と、第１および第２の端部（Ａ，Ｐ）の間にある中間部（Ｍ）とを有し、
糸状部材（４）は、横並びに配置された複数の伸張部を形成するように糸状部材に沿って構成された複数の中間曲げ部（４Ａ）を含み、
糸状部材（４）の中間部（Ｍ）が２つまたはそれ以上の中間曲げ部（４Ａ）を有し、この中間曲げ部が中間部（Ｍ）において糸状部材に沿って連続して互いに横並びに配置され、かつ、ソール（３，３０）のほぼ中央領域においてソールの実質的に長さ方向に沿って延びる２つまたはそれ以上の伸張部（４Ｂ）を形成し、
糸状部材（４）の第１の端部（Ａ）が２つまたはそれ以上の中間曲げ部（４Ａ）を有し、この中間曲げ部が第１の端部（Ａ）において糸状部材に沿って連続して互いに横並びに配置され、かつ、ソール（３，３０）の前方領域および後方領域のうちの少なくとも一方においてソールの実質的に横方向に沿って延びる２つまたはそれ以上の伸張部（４Ｄ）を形成することを特徴とする履き物。
【請求項２】
糸状部材（４）の第１の端部（Ａ）がソール（３，３０）の前方領域にあり、
糸状部材（４）の第２の端部（Ｐ）がソール（３，３０）の後方領域にあり、
第１の端部（Ａ）がソール（３，３０）の前方領域にあり、
２つまたはそれ以上の伸張部（４Ｄ）を有する第２の端部（Ｐ）がソールの実質的に横方向に沿って延びることを特徴とする請求項１に記載の履き物。
【請求項３】
伸張部（４Ｂ，４Ｄ）は、実質的に直線状に形成されていることを特徴とする請求項１または２に記載の履き物。
【請求項４】
糸状部材（４）は、その２つの端部のそれぞれに配設された端部曲げ部（４Ｃ）を有することを特徴とする請求項１〜３のいずれか１に記載の履き物。
【請求項５】
中間曲げ部（４Ａ）および端部曲げ部（４Ｃ）の少なくともいくつかは、ソール（３，３０）に一体化または結合されたスタッド（３Ａ，３Ｂ）に隣接して配置されることを特徴とする請求項１〜４のいずれか１に記載の履き物。
【請求項６】
糸状部材（４）は、好ましくは鉄鋼製の金属ワイヤからなることを特徴とする請求項１〜５のいずれか１に記載の履き物。
【請求項７】
ソール（３，３０）は底ソールであることを特徴とする請求項１〜６のいずれか１に記載の履き物。
【請求項８】
ソール（３，３０）は中間ソールであることを特徴とする請求項１〜７のいずれか１に記載の履き物。
【発明の詳細な説明】
【技術分野】
【０００１】
本発明は、履き物、特にスポーツシューズの分野に関するとともに、履き物の製造方法に関する。
【背景技術】
【０００２】
ある種のシューズ（主としてサッカー、ランニング、テニスなどのスポーツで使用されるシューズ）の性能に対応したり改良したりするために、１つまたは複数の各領域を堅くした、合成材料からなるソール(soles)を使用したものが知られている。
【０００３】
当該分野の現在の状況では、上述したように堅くすることは、ソールの本体内に多少の堅い挿入物(inserts)を設けることによって得られ、このような挿入物はソールを成形するのに使用されるものと同じ種類の合成材料からなっている。
【０００４】
前記公知の方法は、ソールの全体重量の増加をもたらすとともに、前記挿入物を構成することになる合成材料の構成部分を成形する必要性によって決定される追加の生産コストを伴う。
【０００５】
また、上述した従来技術では、ソールの底本体(base body)と堅くした挿入物との間で破損を生じるという欠点がある。
【発明の開示】
【発明が解決しようとする課題】
【０００６】
本発明は前記問題点を解決することを目的とするものである。
【０００７】
この枠組みにおいて、本発明の目的は、軽量で所望の部分に最適な堅さを有するソールが当該分野の現状で得られるものよりもさらに堅い構造になるシューズを得ることにあり、さらに、そのようなシューズを簡単かつ安価に製造できる方法を示すことにある。
【課題を解決するための手段】
【０００８】
以下において明らかになるこれらの目的は、この記述の一体的部分として意図されている添付の特許請求の範囲の特徴を有するシューズおよびその製造方法である本発明によって達成される。
【０００９】
また、本発明の特徴および利点は、単なる例示であって非限定的な例として与えられた以下の詳細な説明および添付図面からより明らかになるであろう。
【発明を実施するための最良の形態】
【００１０】
図１において、符号１はサッカー用に想定されるシューズの全体を示す。シューズ１は、上部２とソール３を備えている。これらは例えば接着などの公知の方法によって相互に接合される。
【００１１】
上部２の製造方法は、本発明の目的に属さないので、その詳細な説明および図示を行わない。ソール３は、ポリウレタンなどの合成材料からなっており、固定された複数のスタッド３Ａを有している。本発明では、ソール３の成形は、ソールを構成する合成材料内に、ソール３の少なくとも１つの部分に所望の剛性を与え、かつ、他の部分については所定の柔軟性を与えるように適当に形成された少なくとも１つの金属製挿入物を入れることで行われる。
【００１２】
図２には、全体が符号４で示される前記挿入物が示される。挿入物４は、糸状の形状、または薄くて細長い形状を有する。そのために、挿入物（糸状部材）４は、好ましくは鉄鋼からなる通常のワイヤから形成される。図示されるように、糸状挿入物４の展開に沿って、符号４Ｂで示すほぼ直線状の複数の伸張部を画定するように符号４Ａで示す複数の中間曲げ部が形成されている。図２に示す場合において、挿入物４は、４つの伸張部４Ｂを形成するように３つの中間曲げ部４Ａが設けられており、長手方向端部に終端曲げ部４Ｃを有している。
【００１３】
図３には、図１のシューズ１のソール３の概略断面が図示されており、ここにおいて幾つかの固定スタッド３Ａの位置が表されている。
【００１４】
図示されるように、糸状挿入物４の伸張部４Ｂはソール３の中央部分においてソール３の長さ方向に沿ってかつ横並びの関係でそのほとんどが延びている。このような伸張部４Ｂの構成は、スタッドがないソール３の中央部分に、長手方向における最適な剛性を与えることを可能する。
【００１５】
図３からは、後述する理由のために、挿入物４のすべての曲げ部４Ａ，４Ｃがソール３の各スタッド３Ａに対応してどのくらい近くに位置しているかも分かる。
【００１６】
図４には、本発明によらない例によって得られるソール３０の概略断面が示される。このソール３０は、金属製のジョイントまたは接続部３Ｂが設けられている。各接続部３Ｂは中央ねじ穴をそれぞれ有しており、そのネジ穴に公知の構成の交換可能なスタッド（図示せず）がねじ込まれることができる。
【００１７】
図４のソール３０では、図２に示すのと同様の糸状挿入物４が一体化されている。また、図４の実施形態では、ソール３０の中間曲げ部４Ａおよび終端曲げ部４Ｃがソール３０の各接続部３Ｂに対応してどのように位置しているかが分かる。さらに、この場合には、伸張部４Ｂがソール３０の中央部分において長手方向に、かつ横並びで延びている。
【００１８】
図５には、本発明にかかる糸状挿入物の実施形態が示されており、図６はその挿入物を備えたソール３を示す。これらの図においては、上述したのと技術的に均等な要素を示すために同じ符号が使用されていることが認識されるべきである。図５の糸状挿入物４では、符号Ｐ，Ｍ，Ａでそれぞれ示す３つの部分が見られる。部分Ｐにおいて、挿入物４は、１つの終端曲げ部４Ｃのほかに、ソール３の長手方向に対してほぼ横方向に延びる３つの伸張部４Ｄを形成するように３つの中間曲げ部４Ａを有する。
【００１９】
部分Ｐに続いて、大きい半径を有する中間曲げ部４Ａ'の後には部分Ｍがある。部分Ｍでは、ソール３の中央部分においてほぼ長手方向に、かつ横並びで延びる５つの伸張部４Ｂを形成するように４つの中間曲げ部４Ａが設けられている。
【００２０】
部分Ｍに続いて、大きい半径を有する別の中間曲げ部４Ａ'の後には部分Ａがある。部分Ａは、終端曲げ部４Ｃのほかに、７つの横方向伸張部４Ｄを形成するように６つの中間曲げ部４Ａを有する。
【００２１】
図６からも分かるように、部分Ｐ，Ｍ，Ａは、ソール３の後方部分、中央部分および前方部分の剛性手段(stiffening means)をそれぞれ構成するように設けられている。
【００２２】
図５の糸状挿入物４の部分Ｐおよび部分Ａについて、伸張部４Ｄの配置がどのようにソール３の各部分の横方向のねじれを防止可能にし、かつ、どのように長手方向における前記各部の必要な柔軟性を可能にするのかが分かる。
【００２３】
スタッドが装着された特定の場合には、各伸張部４Ｄは、横方向に横並びで配置された各スタッドに対応するソールの２点間に延びており、これにより前記スタッド間の剛性ブリッジ(stiffening bridges)が得られる。
【００２４】
また、図６に示す場合には、糸状挿入部４に設けられた曲げ部の主要部は、ソール３の各スタッド３Ａに対応して位置している。
【００２５】
図７，８は、図５に示されるものとほぼ同様の糸状挿入物４と、その挿入物が装着されたソール３０をそれぞれ示す。また、これらの図において、上述したのと技術的に均等な要素を示すために、先の図面と同じ符号が使用されている。
【００２６】
図示するように、図７，８の糸状挿入物４は、ソール３０の前方部分および後方部分についてより少ない数の横方向伸張部４Ｄを形成するように、図５，６の場合よりも少ない数の中間曲げ部４Ａを有する。
【００２７】
本発明のシューズに適するソールの製造工程は、非常に簡単であり、挿入物上でソールの合成材料によって本体を成形することで得られる。
【００２８】
このために、ワイヤは、挿入物４を形成するために、すなわち、その間に伸張部４Ｂが横並びで形成されるように少なくとも複数の中間曲げ部４Ａが存在するように、それ自体公知の方法で加工される。このようにして得られた挿入物４は、それからソール３または３０が得られることになる型内に配置される。その結果、横並びで配列された前記伸張部４Ｂがソールの長手方向における中央部分にほぼ配置される。
【００２９】
もし、前記ソールがスタッドが装着されるタイプのものである場合、挿入物４は、それぞれの曲げ部４Ａの少なくともいくつかがスタッドを形成することになる型の内部ピンに対応して、または、型内に少なくとも部分的に既に挿入されているねじ付き接続部３Ｂに対応して配置されるように、型内に配置される。上述したピンまたは接続部３Ｂの存在は、それぞれの型内に挿入物４を精度良く配置することを可能にする。
【００３０】
それから、合成材料または熱可塑性材料が型内に高温注入されて、ソールが成形される。この操作は、公知の方法で行われる。
【００３１】
本発明にかかる挿入物４は、糸状部材の簡単な変形によって得ることができ、従来技術のような熱可塑性材料での部材の成形よりも速くかつ安価である。また、糸状部材から始まる生産は、簡単かつ迅速な方法で、いかなる形状の挿入物４，５を得ることを可能にする。
【００３２】
上述した例では、挿入物４は、底ソール、すなわち地面に直接載るシューズの部分に組み込まれたが、本発明は中間ソールまたは内部ソールを得るために適用可能である。
【００３３】
前記説明から、本発明のシューズの特徴およびその製造方法は明らかであり、その特徴は添付の特許請求の範囲においてさらに詳述されている。
【００３４】
また、前記説明から、本発明の利点も明らかである。特に、上述したソールは、
簡単かつ安価に製造でき、
従来技術で得られるものよりも構造的に丈夫であっても重量が軽く、
中央部分に所望の剛性を与えることができる。
【００３５】
当然に、理解される本発明の原理と、実施形態の構成上の詳細および形状は、添付の特許請求の範囲に規定される本発明の範囲から外れることなく、例示として説明および図示されたものに対して広く変更可能である。
【００３６】
添付の図面は、本発明の可能な実施形態の幾つかだけを図示したものである。したがって、糸状挿入物の材料および構成は、いかなるスポーツ分野または異なる用途（すなわち、スポーツ以外）のために研究される特定の履き物に基づいて、要求に応じて異なってもよい。
【図面の簡単な説明】
【００３７】
【図１】スポーツシューズの斜視図である。
【図２】図１のシューズの本発明によらないソールの部材の平面図である。
【図３】図２の部材を含む、図１のシューズのソールの概略長手方向断面図である。
【図４】図３の変形例によるシューズのソールの概略長手方向断面図である。
【図５】本発明の第１の実施形態によって得られるソールの部材の平面図である。
【図６】図５の部材を組み込んだソールの概略長手方向断面図である。
【図７】本発明の第２の実施形態によって得られるシューズのソールの部材の平面図である。
【図８】図７の部材を組み込んだソールの概略長手方向断面図である。
【符号の説明】
【００３８】
１…シューズ
２…上部
３，３０…ソール
３Ａ…固定スタッド
３Ｂ…接続部
４…挿入物
４Ａ…中間曲げ部
４Ｂ…伸張部
４Ｃ…終端曲げ部
４Ｄ…伸張部
５…挿入物
【図１】
0004171421.tif 000002
【図２】
0004171421.tif 000003
【図３】
0004171421.tif 000004
【図４】
0004171421.tif 000005
【図５】
0004171421.tif 000006
【図６】
0004171421.tif 000007
【図７】
0004171421.tif 000008
【図８】
0004171421.tif 000009